(57)【要約】  【課題】従来の合成樹脂製化粧ブラシ用毛材に比べ、液体化粧料の保持性と離脱性に優れた化粧ブラシ用毛材および化粧ブラシの提供。  【解決手段】合成樹脂モノフィラメント１からなる化粧ブラシ用毛材であって、この合成樹脂モノフィラメント１の繊維軸方向に対して垂直な断面２が、複数の単位形状４が並列に連結された凹凸部を有する異形断面であるとともに、その断面の長径が０．１００ｍｍ以上０．３００ｍｍ以下の範囲にあり、且つその少なくとも一端が複数の単位形状４毎に分岐されているとともに、これら分岐された各先端部分にテーパー部３が形成されていることを特徴とする化粧ブラシ用毛材。【選択図】図１
2007135964.tif 000002
【特許請求の範囲】
【請求項１】
合成樹脂モノフィラメントからなる化粧ブラシ用毛材であって、前記合成樹脂モノフィラメントの繊維軸方向に対して垂直な断面が、複数の単位形状が並列に連結された凹凸部を有する異形断面であるとともに、その断面の長径が０．１００ｍｍ以上０．３００ｍｍ以下の範囲にあり、且つその少なくとも一端が複数の単位形状毎に分岐されているとともに、これら分岐された各先端部分にテーパー部が形成されていることを特徴とする化粧ブラシ用毛材。
【請求項２】
前記合成樹脂モノフィラメントの断面の単位形状の数が２〜５の範囲にあることを特徴とする請求項１に記載の化粧ブラシ用毛材。
【請求項３】
前記合成樹脂モノフィラメントの断面の単位形状同士が連結する部分の凹部の径が、この合成樹脂モノフィラメントの断面の短径に対して３０％以上９０％以下の範囲にあることを特徴とする請求項１または２に記載の化粧ブラシ用毛材。
【請求項４】
前記分岐された各先端部分に形成されたテーパー部の長さが、５．０ｍｍ以上２５．０ｍｍ以下の範囲にあることを特徴とする請求項１〜３のいずれか１項に記載の化粧ブラシ用毛材。
【請求項５】
前記合成樹脂モノフィラメントの主要構成成分がポリエステル系樹脂であることを特徴とする請求項１〜４のいずれか１項に記載の化粧ブラシ用毛材。
【請求項６】
請求項１〜５のいずれか１項に記載の化粧ブラシ用毛材を毛材の少なくとも一部に使用したことを特徴とする化粧ブラシ。
【発明の詳細な説明】
【技術分野】
【０００１】
本発明は、従来の合成樹脂製化粧ブラシ用毛材に比べ、液体化粧料を均一且つ持続的に塗布することができとともに、肌への触感性にも優れた化粧ブラシ用毛材およびこの化粧ブラシ用毛材を毛材の少なくとも一部に使用した化粧ブラシに関するものである。
【背景技術】
【０００２】
従来、化粧ブラシ用毛材としては、獣毛および合成樹脂製の毛材が数多く使用されてきた。このうち、獣毛を使用した化粧ブラシは、化粧料の保持性や離脱性に優れるため化粧料を肌に満遍なく塗布することができるとともに、柔軟性を有するため、使用時の肌触りが良好であった。
【０００３】
しかし、近年の動物愛護の風潮により獣毛の入手が困難になりつつあり、さらに使用者の中には動物性アレルギーを発症する可能性があるため、獣毛からなる化粧ブラシを使用できない場合もあった。
【０００４】
一方、合成樹脂製の毛材は、容易に加工することができるとともに、獣毛に比べ工業的に大量生産が可能であり、さらには動物性アレルギーを発症しにくいなどの利点を有するが、化粧ブラシとして使用した場合には、獣毛を使用した化粧ブラシに比べて化粧料の保持性や離脱性が低く、使用時の肌触りが良くないなどの問題を抱えていた。
【０００５】
この問題解決のための技術手段として、例えば、異形断面合成樹脂モノフィラメントに撚りを掛けた毛材を使用した化粧用ブラシ（例えば、特許文献１参照）が知られている。この化粧用ブラシは、使用当初は化粧料の保持性や離脱性を十分に兼ね備えているが、使用を続けていくうちに毛材の撚りが解けてしまうため、塗布性能が次第に低下するなどの問題があり、化粧ブラシとして十分使用できるものではなかった。
【０００６】
また、ポリエチレンテレフタレートまたはポリブチレンテレフタレートモノフィラメントからなり、１０ｍｍ以下の波長をかけたクリンプとテーパー部とを有する化粧用ブラシ用毛材（例えば、特許文献２参照）が知られている。
【０００７】
この化粧ブラシ用毛材は、粉体化粧料の塗布性能が良好で、柔らかく、肌触りに優れたものであるが、液体化粧料に対しては過大に保持しやすく、且つ塗布する際には液垂れするくらいに離脱しやすいため、肌に満遍なく塗布することができず、獣毛を使用した化粧ブラシ用毛材に比べ塗布性能が十分なものではなかった。  
【０００８】
つまり、従来技術による合成樹脂製の毛材では、液体化粧料を満遍なく且つ均一に塗布することができないため、化粧ブラシとした場合にその性能を十分に発揮することができず、これらの特性を全て満足する化粧ブラシ用毛材の実現が強く求められていた。
【特許文献１】特許第３４８２３８３号公報
【特許文献２】特許第３４３４７００号公報
【発明の開示】
【発明が解決しようとする課題】
【０００９】
本発明の目的は、従来の合成樹脂製化粧ブラシ用毛材に比べ、液体化粧料を均一且つ持続的に塗布することができるとともに、肌への触感性にも優れた化粧ブラシ用毛材およびこの化粧ブラシ用毛材を毛材の少なくとも一部に使用した化粧ブラシを提供することにある。
【課題を解決するための手段】
【００１０】
上記目的を達成するために本発明によれば、合成樹脂モノフィラメントからなる化粧ブラシ用毛材であって、前記合成樹脂モノフィラメントの繊維軸方向に対して垂直な断面が、複数の単位形状が並列に連結された凹凸部を有する異形断面であるとともに、その断面の長径が０．１００ｍｍ以上０．３００ｍｍ以下の範囲にあり、且つその少なくとも一端が複数の単位形状毎に分岐されているとともに、これら分岐された各先端部分にテーパー部が形成されていることを特徴とする化粧ブラシ用毛材が提供される。
【００１１】
なお、本発明の化粧ブラシ用毛材においては、
前記合成樹脂モノフィラメントの断面の単位形状の数が２〜５の範囲にあること、
前記合成樹脂モノフィラメントの断面で単位形状同士が連結する部分の凹部の径が、この合成樹脂モノフィラメントの断面の短径に対して３０％以上９０％以下の範囲にあること、
前記分岐された各先端部分に形成されたテーパー部の長さが、５．０ｍｍ以上２５．０ｍｍ以下の範囲にあること、および
前記合成樹脂モノフィラメントの主要構成成分がポリエステル系樹脂であること
がいずれも好ましい条件として挙げられ、これらの条件を満たした場合には、さらに優れた性能を発揮する。
【００１２】
また、本発明の化粧ブラシは、前記化粧ブラシ用毛材を毛材の少なくとも一部に使用したものであり、特に液体化粧料用の化粧ブラシとして使用した場合には、優れた性能を発揮する。
【発明の効果】
【００１３】
本発明によれば、以下に説明するとおり、十分且つ適度な量の液体化粧料を毛材に持ち込むことができるため、液体化粧料を均一且つ持続的に塗布することができるとともに、肌への触感性にも優れた化粧ブラシ用毛材および化粧ブラシが得られる。
【発明を実施するための最良の形態】
【００１４】
以下、本発明の化粧ブラシ用毛材について図１、２に従って説明する。
【００１５】
図１、２は本発明の化粧ブラシ用毛材を構成する合成樹脂モノフィラメントの一例を示したものであり、１は合成樹脂モノフィラメント、２はこの合成樹脂モノフィラメント１の断面（以下、断面２と言う）、３は合成樹脂モノフィラメント１の分岐された各先端部分に形成されたテーパー部（以下、テーパー部３と言う）、４は合成樹脂モノフィラメント１の断面に形成された複数の単位形状（以下、単位形状４と言う）、５は合成樹脂モノフィラメント１の断面２で単位形状４同士が連結する部分の凹部（以下、凹部５と言う）、ａは合成樹脂モノフィラメント１の長径（以下、長径ａと言う）、ｂは合成樹脂モノフィラメント１の短径（以下、短径ｂと言う）、ｃは凹部５の径（以下、凹部径ｃと言う）を示している。
【００１６】
十分且つ適度な量の液体化粧料を毛材に持ち込むことができるとともに、液体化粧料を満遍なく肌に塗布することができ、さらに肌への触感性にも優れた本発明の化粧ブラシ用毛材は、合成樹脂製モノフィラメント１からなり、この合成樹脂モノフィラメント１の繊維軸方向に対して垂直な断面２が、複数の単位形状４が並列に連結された凹凸部を有する異形断面であるとともに、その断面２の長径ａが０．１００ｍｍ以上０．３００ｍｍ以下の範囲にあり、且つ合成樹脂モノフィラメント１の少なくとも一端が複数の単位形状４毎に分岐されているとともに、これら分岐された各先端部分にテーパー部３が形成されていることを特徴とするものである。
【００１７】
つまり、複数の単位形状４が並列に連結されず、断面２に凹凸部を有していない場合は、毛材表面積が小さくなるために液体化粧料が十分保持されにくく、液体化粧料を満遍なく肌に塗布することができなくなるため好ましくない。
【００１８】
また、毛材の長径ａが上記の範囲を外れた場合には、合成樹脂モノフィラメント１の剛性に影響を及ぼし、肌への触感性に欠けた化粧ブラシ用毛材になるため好ましくない。
【００１９】
さらに、合成樹脂モノフィラメント１の少なくとも一端が複数に分岐されず、さらに分岐された各先端部分にテーパー部３を有しない場合は、肌への触感性に欠けた化粧ブラシとなるため好ましくない。
【００２０】
なお、本発明の化粧ブラシ用毛材を構成する合成樹脂モノフィラメント１の素材合成樹脂としては、例えば、ナイロン６、ナイロン６６、ナイロン６１０、ナイロン６１２、ナイロン１１、ナイロン１２およびこれら共重合などのポリアミド系樹脂、ポリブチレンテレフタレート、ポリトリメチレンテレフタレート、ポリエチレンテレフタレート、ポリナフタレンテレフタレート、ポリ乳酸、ポリブチレンサクシネートなどのポリエステル系樹脂、およびポリフッ化ビニリデン、エチレン−テトラフルオロエチレン共重合体、ポリテトラフルオロエチレン、テトラフルオロエチレン−フッ化ビニリデン共重合体などのフッ素系樹脂などを挙げることができるが、以下に説明するように、アルカリまたは酸により加水分解し、テーパー部３を容易に形成することができるとの理由から、特にポリエステル系樹脂の使用が好ましく、さらにはポリブチレンテレフタレート、ポリトリメチレンテレフタレートの使用がより好ましい。
【００２１】
また、本発明の化粧ブラシ用毛材を構成する合成樹脂モノフィラメント１には、本発明の目的を阻害しない範囲であれば、耐熱剤、紫外線吸収剤、可塑剤、酸化防止剤および着色剤などの慣用の各種添加剤を任意に含有させることができる。
【００２２】
断面２を形成する単位形状４については、化粧ブラシの種類に応じて適宜選定することができ、特に限定はされないが、例えば、円形、四角形、六角形などの多角形、六葉形、八葉形などの多葉形などが挙げられ、特に液体化粧料の保持性と離脱性とのバランスに優れているとの理由から、断面２の単位形状４は円形であることが好ましい。
【００２３】
また、断面２を形成する単位形状４の数については、液体化粧料の保持性能と肌への触感性とのバランスから、２〜５の範囲にあることが好ましく、さらには３〜４の範囲にあることがより好ましい。
【００２４】
さらに、単位形状４同士が連結する部分の凹部径ｃについても、その大きさによって液体化粧料の保持性能に影響を与える場合がある。したがって、凹部径ｃは合成樹脂モノフィラメント１の短径ｂに対して３０％以上９０％以下の範囲にあることが好ましく、さらには４０％以上８０％以下の範囲にあることがより好ましい。
【００２５】
さらにまた、本発明の化粧ブラシ用毛材において、合成樹脂モノフィラメント１の分岐された各先端部分に形成されるテーパー部３の長さは、より肌への触感性を高めるために５．０ｍｍ以上２５．０ｍｍ以下の範囲にあることが好ましく、さらには１５．０ｍｍ以上２０．０ｍｍ以下の範囲にあることがより好ましい。
【００２６】
次に、本発明の化粧ブラシ用毛材の製造方法について説明する。
【００２７】
まず、本発明の化粧ブラシ用毛材を構成する合成樹脂モノフィラメント１は、例えば、ポリエステル系樹脂、またはポリエステル系樹脂に各種添加剤を所定量混合したものを、公知の溶融紡糸機に供給し、糸断面形状に対応する異形断面形状のノズルから溶融押出した後、冷却および延伸工程を経て製造される。
【００２８】
次に、得られた合成樹脂モノフィラメント１は、必要な長さにカットされた後、その先端部を複数の単位形状４毎に分岐させるとともに、テーパー部３を形成して、化粧ブラシ用毛材に加工される。合成樹脂モノフィラメント１にテーパー部３を形成する方法としては、例えば、機械研磨による方法も挙げられるが、テーパー部３の表面が滑らかで、且つ均一な品質を持つテーパー部３が形成できるとの理由から、例えば、合成樹脂モノフィラメント１を複数本束ねて、この束の周囲にテープ等を巻いて保護した後、必要な長さに切断し、その切断端部の片方または両方をアルカリ液や酸液に浸漬させてテーパー状に溶解する加工方法が、本発明の化粧ブラシ用毛材を製造する上で特に好ましい。
【００２９】
こうして得られた化粧ブラシ用毛材は、化粧ブラシの毛材の少なくとも一部として使用される。なお、本発明の化粧ブラシ用毛材を使用した化粧ブラシは、公知の方法で製造することができ、製造方法については特に限定されない。
【００３０】
以上、説明したとおり、本発明の化粧ブラシ用毛材は、必要十分な毛材表面積を持ち、十分且つ適度な量の液体化粧料を毛材に持ち込むことができるため、液体化粧料を均一且つ持続的に塗布することができるとともに、肌への触感性にも優れたものである。そして本発明の化粧ブラシ用毛材を少なくとも一部に使用した化粧ブラシは、従来の化粧ブラシでは実現不可能であった上述の効果を遺憾なく発揮することができる。
【実施例】
【００３１】
以下、本発明の化粧ブラシ用毛材を実施例に基づいて説明するが、本発明の化粧ブラシ用毛材は、その要旨を越えない限り以下の実施例に何ら限定されるものではない。
【００３２】
なお、本発明の化粧ブラシ用毛材の評価方法については、次の通りに行ったものである。また、性能評価に使用したフェイスブラシは、毛丈３０ｍｍ、束径２０ｍｍのブラシであり、実施例および比較例で得られた化粧ブラシ用毛材を化粧ブラシ用駒に入れ、穂先を整えた上で金属製筒に化粧ブラシ用毛材を差し込み、さらに金属製筒に柄を取り付けることにより作製したものである。
【００３３】
〔液体化粧料の塗布性能〕
作製したフェイスブラシを使用して、紙の上に液体化粧料（コーセー：Ｆａｓｉｏ  フィット＆ステイ  リキッドファンデーション）を線状に塗布し、持続且つ均一に塗布することができた長さを測定した。この長さが長いほど、塗布性能に優れていることを示す。
【００３４】
また成人女性２５人対して実際に化粧を行ってもらい、その塗布性能について回答を得た。なお、判定基準は以下の三段階とし、最も多い回答で評価した。
Ａ・・液体化粧料の保持性および離脱性に優れ、肌に満遍なく均一に塗布することができた、
Ｂ・・液体化粧料の保持性および離脱性が評価Ａよりもやや劣るが、実用上問題はなかった、
Ｃ・・液体化粧料の保持性および離脱性が評価Ｂよりもさらに劣り、肌に満遍なく均一に塗布することができなかった。
【００３５】
〔肌への触感性〕
上記の化粧料塗布性能評価と同時に化粧ブラシの肌への触感性についても評価してもらった。なお、判定基準は以下の三段階とし、最も多い回答で評価した。
１・・極めて柔軟であり、心地よい触感であった、
２・・評価１に比べてやや触感性に欠けるが、実用上問題はなかった、
３・・毛腰が硬く、柔軟性にも欠け、肌に刺激が感じられるなど、触感性に欠けていた。
【００３６】
〔実施例１〕
十分に予備乾燥したポリブチレンテレフタレート樹脂（東レ（株）製“トレコン”１２００Ｓ、以下ＰＢＴという）を押出型紡糸機に供給し、加熱溶融されたＰＢＴを、表１に示した糸断面形状に対応する異形断面形状のノズルから押出し、直ちに３０℃の水浴中で冷却固化した後、引き続き５５℃の温水中および８５℃の乾熱雰囲気中でトータル４．１倍に延伸し、さらに乾熱雰囲気中で弛緩熱処理を施し、円形単位形状を３つ連結した断面構成からなる合成樹脂モノフィラメント（長径０．１７０ｍｍ、短径０．０６０ｍｍ、凹部の径０．０３０ｍｍ）を束状に巻き取った。
【００３７】
次に、巻き取られた束状の合成樹脂モノフィラメントを長さ４５ｍｍに切断し、この切断束の片端をアルカリ液に浸漬してその先端部分を単位形状毎に分岐させながらテーパー状に加工し、テーパー部の長さが２０ｍｍの化粧ブラシ用毛材を作製した。得られた化粧ブラシ用毛材を使用したフェイスブラシの評価結果を表１に示す。
【００３８】
〔実施例２〕
実施例１において、円形単位形状を２つ連結した合成樹脂モノフィラメント（長径０．１１０ｍｍ、短径０．０６０ｍｍ、凹部径０．０３０ｍｍ）を作製したこと以外は、同様の方法で化粧ブラシ用毛材を作製した。得られた化粧ブラシ用毛材を使用したフェイスブラシの評価結果を表１に示す。
【００３９】
〔実施例３〕
実施例１において、ひし形単位形状を３つ連結した合成樹脂モノフィラメント（長径０．１８０ｍｍ、短径０．０５０ｍｍ、凹部径０．０２０ｍｍ）を作製したこと以外は、同様の方法で化粧ブラシ用毛材を作製した。得られた化粧ブラシ用毛材を使用したフェイスブラシの評価結果を表１に示す。
【００４０】
〔実施例４〕
実施例１において、六葉形単位形状を３つ連結した合成樹脂モノフィラメント（長径０．２００ｍｍ、短径０．０８０ｍｍ、凹部径０．０２８ｍｍ）を作製したこと以外は、同様の方法で化粧ブラシ用毛材を作製した。得られた化粧ブラシ用毛材を使用したフェイスブラシの評価結果を表１に示す。
【００４１】
〔実施例５〕
実施例１において、ＰＢＴの代わりにポリトリメチレンテレフタレート樹脂（Ｓｈｅｌｌ  Ｃｈｅｍｉｃａｌｓ製“ＣＯＲＴＥＲＲＡ”ＣＰ５１３０００、以下ＰＴＴと言う）を使用したこと以外は、同様の方法で化粧ブラシ用毛材を作製した。得られた化粧ブラシ用毛材を使用したフェイスブラシの評価結果を表１に示す。
【００４２】
〔比較例１〕
実施例１において、合成樹脂モノフィラメントの断面を直径０．１００ｍｍの円形断面にしたこと以外は、同様の方法で化粧ブラシ用毛材を作製した。得られた化粧ブラシ用毛材を使用したフェイスブラシの評価結果を表１に示す。
【００４３】
〔比較例２〕
実施例１において、合成樹脂モノフィラメントの断面を直径０．１００ｍｍの六葉形断面にしたこと以外は、同様の方法で化粧ブラシ用毛材を作製した。得られた化粧ブラシ用毛材を使用したフェイスブラシの評価結果を表１に示す。
【００４４】
〔比較例３〕
実施例１において、先端部分に分岐もテーパー部も形成させなかったこと以外は、同様の方法で化粧ブラシ用毛材を作製した。得られた化粧ブラシ用毛材を使用したフェイスブラシの評価結果を表１に示す。
【００４５】
〔比較例４〕
実施例１において、長径を０．３５０ｍｍ、短径を０．１２０ｍｍ、且つ凹部径を０．０６０ｍｍに変更したこと以外は、同様の方法で化粧ブラシ用毛材を作製した。得られた化粧ブラシ用毛材を使用したフェイスブラシの評価結果を表１に示す。
【００４６】
【表１】
2007135964.tif 000003
【００４７】
表１の結果から明らかなように、本発明の化粧ブラシ用毛材を使用したフェイスブラシ（実施例１〜５）は、液体化粧料を過不足なく保持するとともに、実際に液体化粧料を肌に塗布した際には、満遍なく均一に塗布することができた。また、本発明の化粧ブラシ用毛材を使用したフェイスブラシは毛腰が柔軟であり、肌への触感性も良好であることなど、実用性の高いものであることが分かる。
【００４８】
これに対して本発明の条件を満足しない化粧ブラシ用毛材を使用したフェイスブラシは、塗布性能や触感性に欠けたものとなり、例えば、１つの単位形状からなる化粧ブラシ用毛材をフェイスブラシに使用した場合（比較例１および２）は、本発明の化粧ブラシ用毛材に比べて毛材表面積が小さいため、液体化粧料を十分に保持することができず、塗布性能に欠けたものとなり、また、分岐もテーパー部も形成させなかった化粧ブラシ用毛材をフェイスブラシに使用した場合（比較例３）は、肌への塗布性能と触感性に欠けたものとなり、さらに、長径が本発明で規定する範囲から外れた化粧ブラシ用毛材をフェイスブラシに使用した場合（比較例４）は、毛腰が硬く、肌への触感性に欠けるため、実用性の低いものであることが分かる。
【産業上の利用可能性】
【００４９】
以上、説明したとおり、本発明の化粧ブラシ用毛材は、液体化粧料の塗布性能に優れているとともに肌への触感性に優れ、使い心地が極めて良好であることから、アイライナーブラシ、ファンデーションブラシ、フェイスブラシ、ルージュブラシ、およびネイルブラシ等の化粧ブラシとして有用であり、特に化粧品を常用する女性にとって寄与するところは極めて大きい。
【図面の簡単な説明】
【００５０】
【図１】本発明の化粧ブラシ用毛材を構成する合成樹脂モノフィラメントの一例を示す拡大模式正面図である。
【図２】図１に示すモノフィラメントの拡大断面図である。
【符号の説明】
【００５１】
１    合成樹脂モノフィラメント
２    合成樹脂モノフィラメントの断面
３    テーパー部
４    単位形状
５    凹部
ａ    長径
ｂ    短径
ｃ    凹部径
【図１】
2007135964.tif 000004
【図２】
2007135964.tif 000005